(57)【要約】【課題】雨天等でなくても積極的に携行される外衣を提供する。【解決手段】本体１１は、頭部が通される開口部１２を有して身体に着用される。開口部１２の周囲に取り付けられる袋体３１は、本体１１が身体に着用されたウェア態様で頭部に被せられる、袋体３１に取り付けられる第１ストラップ７１は、袋体３１が塊状の本体１１を包み込んだポーチ態様でこの袋体３１を吊下げる吊下紐として機能する。第２ストラップ８１は、本体１１が袋状に留められたバッグ態様で第１ストラップ７１と共にこの本体１１を吊下げる吊下紐として機能する。【選択図】図１
2010065360.tif 000002
【特許請求の範囲】
【請求項１】
開口部を有し、当該開口部を頭部が通されて身体に着用される本体と、
前記開口部の周囲に取り付けられ、前記本体が身体に着用されたウェア態様で当該開口部を通された頭部にフードとして被せられる袋体と、
前記袋体に取り付けられ、当該袋体が塊状の前記本体を包み込んだポーチ態様で当該袋体を吊下げる吊下紐として機能する第１ストラップと、
前記本体を袋状に留める本体留部と、
前記本体に取り付けられ、当該本体が前記袋状に留められたバッグ態様で前記第１ストラップと共に当該本体を吊下げる吊下紐として機能する第２ストラップと、
を備える外衣。
【発明の詳細な説明】
【技術分野】
【０００１】
本発明は、防雨や防寒を目的として着用される外衣に関する。
【背景技術】
【０００２】
従来、防雨等の目的で衣類の上から着用される外衣として、シート状の一枚型本体が身体を覆うもの（マント、ポンチョ等とも呼ばれる）が普及している。このような外衣は、雨傘を使用する場合と比較して両手の自由度が高くなるため、アウトドア作業の場面等で好まれて着用される。
【０００３】
【特許文献１】実公昭４２−１２１８号公報
【特許文献２】実開昭４９−３９０５号公報
【発明の開示】
【発明が解決しようとする課題】
【０００４】
防雨目的の外衣は、原則的には雨天時のみ携行される。しかし、突然の天候変化に備えて、外衣を積極的に携行していたいという要望は非常に強い。例えば、折りたたみ傘は、未使用時にコンパクトになることで携行性を高めている。未使用時のコンパクト化という観点での特許調査によって見出された特許文献１には、未使用時に小さく纏めて携行できるレインコートが開示されている（第６図参照）。また、雨具に防雨以外の機能を与えることで、その雨具は雨天以外でも携行されることが期待できる。例えば、特許文献２には、防水衣として使用できるシートをバッグにする技術が記載されている（第１図参照）。
【０００５】
本発明の目的は、雨天等以外でもより積極的に携行される外衣を提供することである。
【課題を解決するための手段】
【０００６】
本発明の外衣は、開口部を有し、当該開口部を頭部が通されて身体に着用される本体と、前記開口部の周囲に取り付けられ、前記本体が身体に着用されたウェア態様で当該開口部を通された頭部にフードとして被せられる袋体と、前記袋体に取り付けられ、当該袋体が塊状の前記本体を包み込んだポーチ態様で当該袋体を吊下げる吊下紐として機能する第１ストラップと、前記本体を袋状に留める本体留部と、前記本体に取り付けられ、当該本体が前記袋状に留められたバッグ態様で前記第１ストラップと共に当該本体を吊下げる吊下紐として機能する第２ストラップと、を備える。
【発明の効果】
【０００７】
本発明によれば、ユーザは、環境や用途に応じて外衣をポーチ態様とバッグ態様とにできるので、雨天等でなくても外衣を積極的に携行できる。
【発明を実施するための最良の形態】
【０００８】
［基本構成］
図１は、本実施の形態の外衣１を示す平面図である。外衣１は、防水生地（例えばナイロン）で形成されたシート状の本体１１を主体に構成されている。本体１１は、肩線Ｓを介して、図１中手前側の面（以下、正面と呼ぶ）と図１中奥側の面（以下、背面と呼ぶ）とに区別することができる。以下の説明では、肩線Ｓに沿った部位を肩線部１１ｇと呼ぶ。また、図１中右側の縁に沿った部位を第１袖部１１ｉと呼び、図１中左側の縁に沿った部分を第２袖部１１ｊと呼ぶ。さらに、第１袖部１１ｉと第２袖部１１ｊとに接続する縁に沿った部位を裾部１１ｈと呼ぶ。肩線部１１ｇの中央位置には、開口部１２が形成されている。開口部１２を囲う位置には、袋体としてのフード３１が取り付けられている。フード３１も、防水生地（例えばナイロン）で形成されている。また、フード３１には、釦面を外側に向ける雌ドット釦Ｄ１と両面に釦面を有する両面雄ドット釦Ｄ２とが二つずつ取り付けられている。雌ドット釦Ｄ１は、あて布を介してフード３１に取り付けられ、フード３１が頭部に被された状態で額上に位置する（図２参照）。両面雄ドット釦Ｄ２は、両面共にあて布を介してフード３１に取り付けられ、フード３１が頭部に被された状態でその首すじ上に位置する（図３参照）。フード３１には、フード開口３２を開閉させるフードアジャスタ（図示せず）が取り付けられている。さらに、フード３１には、フード開口３２を跨いで一対の第１ストラップ７１が縫い付けられている。第１ストラップ７１の一方には、バックル７２が取り付けられている。第１ストラップ７１は、バックル７２が留められて一本に結ばれている。第１ストラップ７１は、ドット釦等で留められても良い。また、本体１１の正面には、フード３１に接続させてスライド式の正面ファスナ４１が設けられている。本体１１の内側であって正面ファスナ部位１１ｎ（正面ファスナ４１に沿った部位）中の所定位置には、雌ドット釦Ｄ３が二つ取り付けられている。正面ファスナ４１よりも裾部１１ｈに寄せた位置には、正面ポケット２１が設けられている。正面ポケット２１には、両側に設けられた正面ポケットファスナ２１ａを開けて小物を収納できる。正面ポケットファスナ２１ａのさらに両側位置には、本体１１を貫通する一対のスリット２２が設けられている。
【０００９】
図１に示すように、第１袖部１１ｉの正面側には、ファスナ半体（務歯、テープ、スライダ等からなる。以下同じ）Ｆ１ｂが取り付けられている。このファスナ半体Ｆ１ｂと対になってスライド式の第１ファスナＦ１を構成するファスナ半体Ｆ１ａが、本体１１の背面側であって本体１１の中心と第２袖部１１ｊとの間の位置に取り付けられている。本体１１の背面側には、ファスナ半体Ｆ１ａに対して略垂直に、スライド式の第２ファスナＦ２が取り付けられている。第２ファスナＦ２を構成する一方のファスナ半体Ｆ２ｂは、裾部１１ｈに寄せて本体１１の中央位置に配置されている。他方のファスナ半体Ｆ２ａは、ファスナ半体Ｆ２ｂよりも第１袖部１１ｉ側であってファスナ半体Ｆ２ｂよりも肩線部１１ｇに寄せた位置に配置されている。肩線部１１ｇの正面側であってファスナ半体Ｆ１ｂと隣接する位置には、ループ面Ｐ１ｂが取り付けられている。このループ面Ｐ１ｂと対になって面ファスナＰ１を構成するフック面Ｐ１ａが、肩線部１１ｇの背面側であって、ファスナ半体Ｆ１ａと第２袖部１１ｊとの間の位置に取り付けられている。肩線Ｓを介してフック面Ｐ１ａと隣接する位置には、肩ファスナ６１ａを有する肩ポケット６１が設けられている。肩ポケット６１には、一対の第２ストラップ８１がその一端が固定されて収納されている。第２ストラップ８１の一方には、バックル８２が取り付けられている。
【００１０】
図１に示すように、肩線部１１ｇの正面側と第１袖部１１ｉとの交差部分には、雌ドット釦ＢＦ１が取り付けられている。肩ポケット６１の内部には、第２ストラップ８１とは別に、一対の帯状のテープＴ１の一端が固定されており、肩ファスナ６１ａを開けてテープＴ１を取り出すことができる。各々のテープＴ１の自由端には、雄ドット釦ＢＭ１が取り付けられている。雄ドット釦ＢＭ１は、テープＴ１を上方に伸ばした状態で釦面が背面側に向く。肩線部１１ｇの背面側であってフック面Ｐ１ａとフード３１の位置との間には、雌ドット釦ＢＦ２が取り付けられている。雌ドット釦ＢＦ２と隣接する位置の肩線Ｓには、帯状のテープＴ２の一端が固定されている。テープＴ２の自由端には、雄ドット釦ＢＭ２が取り付けられている。雄ドット釦ＢＭ２は、テープＴ２を上方に伸ばした状態で釦面が背面に向く。また、肩線部１１ｇの正面側であってループ面Ｐ１ｂとフード３１の位置との間には、雌ドット釦ＢＦ３が取り付けられている。雌ドット釦ＢＦ３と隣接する位置の肩線Ｓには、帯状のテープＴ３の一端が固定されている。テープＴ３の自由端には、雄ドット釦ＢＭ３が取り付けられている。雄ドット釦ＢＭ３は、テープＴ３を上方に伸ばした状態で釦面が正面側に向く。そして、肩線部１１ｇの背面側においては、肩線Ｓを介して面ファスナＰ１と隣接する位置には一対の雌ドット釦ＢＦ４が取り付けられ、第１袖部１１ｉとの交差部分には雌ドット釦ＢＦ５が取り付けられている。なお、雌ドット釦ＢＦ１〜ＢＦ５については、あて布を介して本体１１に取り付けられている。
【００１１】
［ウェア態様］
図２は、正面側から見た外衣１を示す斜視図である。図３は、背面側から見た外衣１を示す斜視図である。ウェア態様では、頭部が開口部１２を通されて本体１１が身体に着用される。このとき、開口部１２を通された頭部にフード３１が被せられ、フード開口３２から顔面が露出する。一本に結ばれた第１ストラップ７１は、ネックレスのように胸前にぶら下がるか、図３に示すようにフード３１の背面側に回される。なお、この一本に結ばれた第１ストラップ７１を玄関等のフックにかけることで、雨に濡れた外衣１を干すことができる。また、図２及び図３中では図示しないが、雄ドット釦ＢＭ２が雌ドット釦ＢＦ２に嵌合され、雄ドット釦ＢＭ３が雌ドット釦ＢＦ３に嵌合されている。ウェア態様では、身体及び頭部は、防水生地である本体１１及びフード３１によって覆われているので、雨や雪に濡れない。また、一枚型の本体１１は、身体を締め付けることなく、身体の周囲に空間的な余裕をもって着用されるため、例えばショルダーバッグを本体１１の内側に入れて身体に直接肩掛けしたり、本体１１の内側で自由に腕を動かしたりすることが可能である。つまり、ウェア態様では、雨に濡れることなくショルダーバッグに対する荷物の出し入れ作業を行うことができる。また、スリット２２を開けることで、本体１１をめくり上げることなく本体１１の外側からこのショルダーバッグの中身を確認できる。さらには、ショルダーバッグ内の荷物をスリット２２から本体１１の外側に容易に取り出すこともできる。なお、外衣１は防寒具であっても良い。その場合、例えばフード３１は僅かに大型化され、本体１１及びフード３１の内側はフリース地となりナイロンとの二重仕立てとなる。防寒具としての外衣１は、出発地と季節の異なる海外への旅行に際しての携行が期待される。また、本体１１及びフード３１の二重仕立てをリバーシブル対応にすることもできる。この場合、正面ファスナ４１もリバーシブル対応にする。そして、本実施の形態の外衣１については、ウェア態様からポーチ態様とバッグ態様とにすることができる。
【００１２】
［ポーチ態様］
図４は、本体１１を巻き上げている状態を示す斜視図である。外衣１をポーチ態様にする場合、まず、本体１１の正面側又は背面側をテーブル面（図示せず）に載置させ、次に、第１袖部１１ｉと第２袖部１１ｊとを中央に寄せて、本体１１をフード３１と同幅にする。中央へ寄せる際、本体１１を巻いても良いし畳んでも良い。これにより、フード３１に接続する一本の長尺状の本体１１が出現する。そして、図４に示すように、この長尺状の本体１１をフード３１に向けて巻き上げる。本体１１は、フード３１の位置まで巻き上げられると、纏まった塊状となる。なお、本体１１を畳み込んで塊状としても良い。次に、フード３１によってこの塊状の本体１１を包み込む。したがって、フード３１は、塊状の本体１１を内包可能な大きさ形状を有している。
【００１３】
図５は、本体１１がフード３１に包み込まれた状態を示す斜視図である。なお、図５では、フード３１を裏返して本体１１を包み込んだ状態を示している。フード３１には、フード３１が頭部に被された状態で（図２参照）後頭部と対向する位置に、ブランド名等を表示するネーム３４が縫い付けられている。そのため、フード３１を裏返すことでネーム３４は外部に露出する。そして、フード３１が本体１１を内包した状態で、雌ドット釦Ｄ１と両面雄ドット釦Ｄ２とを嵌合させる。これにより、フード３１から本体１１を溢れ出させずに閉じ込めることができる。なお、図示しないフードアジャスタでフード開口３２を閉じることで、本体１１の閉じ込めをより強固にできる。ここで、両面雄ドット釦Ｄ２はフード３１の両面に釦面を向けているため、フード３１を裏返さずに本体１１を包み込んでも、雌ドット釦Ｄ１と両面雄ドット釦Ｄ２とを嵌合させることができる。また、フード３１については、二重にして内側（ネーム３４が取り付けられている側）を共地配色にしている。これにより、好みの色を選んで外側にすることができる。そして、一本に結ばれた第１ストラップ７１は、本体１１を包み込んだフード３１を吊下げる吊下紐として機能するので、この第１ストラップ７１を把持することで、外衣１をコンパクトに携行することができる。フード３１には、塊状の本体１１が収納されているものの、比較的小さい荷物であればさらに収納することができる。なお、外衣１がリバーシブル対応である場合には、どちらを表面にしていても、本体１１を中央に寄せて塊状にしてフード３１で包み込み、ポーチ態様にすることが可能である。
【００１４】
［バッグ態様］
図６は、本体１１が正面側で三つ折にされた状態を示す斜視図である。外衣１をバッグ態様にする場合、まず、図６に示すように、本体１１を肩線Ｓで折った後、正面側で三つ折にする。これにより、ファスナ半体Ｆ１ａとファスナ半体Ｆ１ｂとが重なり合うので、第１ファスナＦ１を閉じる。ファスナ半体Ｆ１ａとファスナ半体Ｆ１ｂとには、対応関係の指標となるべく同色が与えられている。また、図６に示すように、フック面Ｐ１ａとループ面Ｐ１ｂとが重なり合うので、面ファスナＰ１を貼付状態にする。このとき、テープＴ２と雌ドット釦ＢＦ５とが隣り合い、一対のテープＴ１と一対の雌ドット釦ＢＦ４とが隣り合い、テープＴ３と雌ドット釦ＢＦ１とが隣り合う。そこで、テープＴ２を屈曲させてその自由端に取り付けられた雄ドット釦ＢＭ２を雌ドット釦ＢＦ５に嵌合させる。また、テープＴ１を屈曲させてその自由端に取り付けられた雄ドット釦ＢＭ１を雌ドット釦ＢＦ４に嵌合させる。さらに、テープＴ３を屈曲させてその自由端に取り付けられた雄ドット釦ＢＭ３を雌ドット釦ＢＦ１に嵌合させる。これにより、面ファスナＰ１の剥離が防止される。なお、テープＴ１〜Ｔ３がバックル等によって本体１１に対して留められるようにしても良い。次に、三つ折にされた本体１１の裾部１１ｈをファスナ半体Ｆ２ａに向けて巻き上げる。すると、ファスナ半体Ｆ２ｂがこのファスナ半体Ｆ２ａと重なり合うので、第２ファスナＦ２を閉じる。ファスナ半体Ｆ２ａとファスナ半体Ｆ２ｂとには、対応関係の指標となるべく、同色が与えられている。もっとも、第１ファスナＦ１とは異なる色である。こうして、肩線部１１ｇは、本体１１の内側に荷物を収納させるバッグ開口９１を形成し、また、裾部１１ｈは、巻回状態に保持されて、バッグ開口９１から収納された荷物を貫通させないバッグ底９２となる。つまり、本体１１は袋状に留められる。
【００１５】
図１を再び参照する。外衣１をバッグ態様にする場合、正面ファスナ４１を開放し、フード３１を開口部１２の襟元に収めるように丸め込み、両面雄ドット釦Ｄ２の外側の釦面を雌ドット釦Ｄ３に嵌合させる。そして、フード３１を開口部１２から本体１１の内側に収納して、正面ファスナ４１を閉じる。この際、一本に結ばれた第１ストラップ７１については、開口部１２から本体１１の外側に出しておく。また、肩ポケット６１から第２ストラップ８１を取り出してバックル８２を留めて一本に結ぶ。第２ストラップ８１は、ドット釦等で留められても良い。第１ストラップ７１と第２ストラップ８１とは、本体１１を吊下げる吊下紐として機能する。
【００１６】
図７は、第１ストラップ７１と第２ストラップ８１とが肩掛けされた状態を示す斜視図である。第１ストラップ７１と第２ストラップ８１とを肩掛け（又は把持）することで、外衣１をバッグ態様で携行することができる。ここで、第１ストラップ７１を引っ張っても、雌ドット釦Ｄ１と両面雄ドット釦Ｄ２との嵌合によってフード３１は位置保持されているため、フード３１は開口部１２から飛び出してしまうことはない。つまり、第１ストラップ７１の位置ズレは生じない。バッグ態様では、バッグ開口９１から収納された荷物がバッグ底９２において支持される。ポーチ態様ではフード３１に収納できない荷物（比較的大きな荷物や多数の荷物）であってもバッグ態様にして収納できる。このとき、収納された荷物重量による面ファスナＰ１の剥離は、雄ドット釦ＢＭ１と雌ドット釦ＢＦ４との嵌合等によって防止される。
【図面の簡単な説明】
【００１７】
【図１】本実施の形態の外衣を示す平面図である。
【図２】正面側から見た外衣を示す斜視図である。
【図３】背面側から見た外衣を示す斜視図である。
【図４】本体を巻き上げている状態を示す斜視図である。
【図５】本体がフードに包み込まれた状態を示す斜視図である。
【図６】本体が正面側で三つ折にされた状態を示す斜視図である。
【図７】第１ストラップと第２ストラップとが肩掛けされた状態を示す斜視図である。
【符号の説明】
【００１８】
１…外衣、１１…本体、１２…開口部、３１…フード（袋体）、７１…第１ストラップ、８１…第２ストラップ
【図１】
2010065360.tif 000003
【図２】
2010065360.tif 000004
【図３】
2010065360.tif 000005
【図４】
2010065360.tif 000006
【図５】
2010065360.tif 000007
【図６】
2010065360.tif 000008
【図７】
2010065360.tif 000009